(57)【要約】      （修正有）【課題】かご呼びおよび行先階登録のための乗客のボタン操作を不要にできるエレベータの登録装置の提供。【解決手段】エレベーター乗り場１にアンテナ９、かご２内にアンテナ１０を取り付け、タグ１１を携帯した人が乗り場１の検知エリアに入ったときにかご呼びを、かご２の検知エリアに入ったときに行先階登録を夫々自動で行い、エレベーターのボタン操作をすることなく指定した階に到着することができるようにした。【選択図】図１
2005255320.tif 000002
【特許請求の範囲】
【請求項１】
かごの運行を制御するエレベーター制御装置と、各階の乗り場に設けられたかご呼び釦と、かご内に設けられた行先階登録釦と、エレベーターが運行する各階の乗り場およびかご内に設けられたアンテナと、上記アンテナを介して情報の送受信を行うアンテナ制御装置と、乗客に携帯され、乗客の利用階床を行先登録階として記憶し、アンテナに情報を送信するタグとを備え、
乗り場に乗客が到着し、上記タグが上記乗り場に設置したアンテナの検知エリアに入った場合に、上記アンテナ制御装置は、上記乗り場に設置したアンテナを介して上記タグに記憶した行先登録階を受信して、上記エレベーター制御装置に送信し、上記エレベーター制御装置は、受信した行先登録階と上記タグが位置する階とから乗客の行先階を判別し、判別した行先階に相当する方向のかご呼び釦を点灯させ、かご呼びを登録し、
上記かご呼びにより到着したかご内に乗客が乗り込むことにより、上記タグが上記かご内に設置したアンテナの検知エリアに入ると、上記アンテナ制御装置は、上記タグに記憶した行先登録階を上記乗り場に設置したアンテナを介して受信して、上記エレベーター制御装置に送信し、上記エレベーター制御装置は、受信した行先登録階と上記かごが到着した階とから乗客の行先階を判別し、上記判別した行先階に相当する行先階登録釦を点灯し、行先階として登録することを特徴とするエレベーターの行先階登録装置。
【請求項２】
上記タグに記憶する行先登録階に優先順位を設け、
上記タグが乗り場に設置したアンテナの検知エリアに入った場合には、優先度の高い行先登録階から順にタグの位置する階と比較を行い、
上記タグがかご内に設置したアンテナの検知エリアに入った場合には、優先度の高い行先登録階から順にかごが到着した階と比較を行い、
初めに相違した行先登録階を乗客の行先階として判定することを特徴とする請求項１に記載のエレベーター行先階登録装置。
【請求項３】
上記タグは、行先登録階に加えて、エレベーター装置のＩＤ番号を記憶し、アンテナ制御装置は、上記タグに記憶したＩＤ番号が、エレベーター装置のＩＤ番号と一致した場合に、行先登録階をエレベーター制御装置に送信することを特徴とする請求項２に記載のエレベーターの行先階登録装置。
【請求項４】
上記エレベーター装置のＩＤ番号は、建物または複数台のエレベーター群ごとに固有のものであることを特徴とする請求項３に記載のエレベーターの行先階登録装置。
【請求項５】
上記乗り場のアンテナが上記タグを検知し始めてから一定時間経過後にかご呼び登録及び、かご呼び釦点灯を行うことを特徴とする請求項１ないし４に記載のエレベーターの行先階登録装置。
【請求項６】
上記乗客に携帯されるタグには、その機能をオフにすることができるスイッチを設けたことを特徴とする請求項１ないし５に記載のエレベーターの行先階登録装置。
【請求項７】
上記乗客に携帯されるタグは、無線ＩＣタグであって、アンテナから電力供給を受けてアンテナに情報を送信するものであることを特徴とする請求項１ないし６のいずれかに記載のエレベーターの行先階登録装置。
【発明の詳細な説明】
【技術分野】
【０００１】
本発明は、エレベーターの行先階登録に関するものであって、特に、乗客がボタン操作などの登録操作を行うことなく、呼びを自動で登録できるようにしたエレベーターに関する。
【背景技術】
【０００２】
従来のエレベーター装置においては、通常、かごの行先階を登録するために、エレベーター乗り場にかご呼びボタン、かご内に行先階登録ボタンが設置されている。乗客はエレベーターを利用する際に、エレベーター乗り場にてかご呼びボタンを操作し、到着したかご内にて、行先階登録ボタンを操作する必要がある。
【０００３】
しかし、乗客の両手が買い物袋や荷物などでふさがっている場合、上記のボタン操作を行うことは困難である。同様に、身体が不自由な乗客や、車椅子の乗客にとっても、上記のボタン操作は困難となる場合がある。
【０００４】
上記のようなボタン操作を不要にできる発明が既に提案されている。
特開２００２−３４８０５３号公報には、共同玄関のオートロック装置の解除信号をエレベーター制御盤に出力してロビー階にかごを戸閉め待機させ、乗り場にて非接触キーあるいはテンキーによる照合を行ってドアを開ける、集合住宅に設置したエレベーターのセキュリティーシステムが提案されている。
【０００５】
しかし、上記従来の発明は、オートロック解除と連動してかご呼びを行うことで乗客の利便性の向上を図りつつ、乗り場にて照合を行った上で戸開することにより不審者のエレベーター利用を制限し、セキュリティを向上させるシステムである。従って、乗客のボタン操作に関しては、居住階に移動する場合についてしか改善されず、居住階から玄関階への移動時における登録操作の改善に関しては提案されていない。
【０００６】
また、居住階へ移動する場合であっても、戸開のための照合操作が必要であり、この操作が乗客にとって困難となることも考えられる。さらに、上記の構成では、かご呼び釦操作は省略することができるが、行先階登録釦操作は省略できなかった。
【０００７】
特開２００３−２７６９５８号公報には、共同玄関に設置した鍵読取装置にて、乗客が携帯する居住階データを記録した鍵の読取及び認証を行ったときに、オートロックの解除を行うとともに、読取った居住階データをエレベーター制御盤に出力し、基準階へのかご呼びと、目的階を自動登録するシステムが提案されている。
【０００８】
上記従来の発明は、共同玄関での鍵の認証により、オートロック解除とともにエレベーターの行先登録を行うことで、不審者のエレベーター利用を制限し、かつ居住者のエレベーター利用における利便性をも向上させるものである。従って、かご呼び釦および行先階登録釦の操作を省略することができる。しかし、居住階に移動する場合についてしか改善されず、居住階から玄関階への移動時における登録操作の改善に関しては提案されていない点は前記発明と同様である。
【０００９】
特開２００３−３４１９４５号公報には、各階のエレベーター乗り場に設置した受信機にて、乗客が携帯するＩＣタグに予め登録した行先階情報を受信することにより、かご呼びと行先階の自動登録を可能とする、無線ＩＣタグを利用した登録操作改善装置が提案されている。上記発明においては、集合住宅やオフィスビルなどのエレベーターにおいて、居住階や通勤階等の乗客の利用階をＩＣタグに、建物の出入口階をエレベーター制御装置に予め登録し、自動登録を行う構成となっている。
【００１０】
上記従来の発明では、自動登録する階床を、乗客の利用階と建物の出入口階と捉え、出入口階を全乗客共通の行先階としてエレベーター装置に予め登録する構成となっている。
従って、例えば、第2ロビー階や、地下駐車場階などの第2の出入口階を有する建物において、これらの階を出入口として常用する乗客は、出入口階よりも頻繁に利用する第2の出入口階を行先階として自動登録することができない、という問題があった。
【００１１】
また、上記従来の発明では、出入口階以外の階から乗込んだ場合は、全て出入口階を自動登録する構成となっている。従って、出入口階やタグに登録した行先階以外、例えば第２ロビー階や、地下駐車場などの第2の出入口階から乗込んだ場合であっても、出入口階が自動登録されてしまい、タグに登録した行先階を自動登録することができない、という問題があった。
【００１２】
また、上記従来の発明では、乗り場にて無線ＩＣタグの電波を受信したときに、かご呼びのみならず行先階登録までも行う構成となっている。したがって、上記タグを携帯した人が、エレベーターを利用しないときに、偶然に乗り場の検知エリアに入った場合でも、かご呼びだけでなく、行先階までもが誤って登録されてしまい、空のかごが目的階まで走行するという問題について解決する必要があった。
【００１３】
また、上記従来の発明では、上記ＩＣタグは行先階情報を記憶するのみでエレベーター装置の識別情報をもたないため、上記ＩＣタグを携帯した乗客が、居住または通勤しない建物を訪問し、本装置が設置されているエレベーターを利用した場合でも、行先階が誤登録されてしまう問題があった。
【００１４】
また、上記従来の発明において、乗客が携帯する無線ＩＣタグは、タグ自体が情報を発信する、いわゆるアクティブ・タグと呼ばれる種類のものを使用しているため、電池などの電力を必要としていた。
【００１５】
【特許文献１】特開２００２−３４８０５３号公報
【００１６】
【特許文献２】特開２００３−２７６９５８号公報
【特許文献３】特開２００３−３４１９４５号公報
【発明の開示】
【発明が解決しようとする課題】
【００１７】
本発明では、上記従来の課題を解決し、かご呼びおよび行先階登録のための乗客のボタン操作を不要にできるシステムを提供する。同時に、本発明では、上記の課題を解決するために既に提案されている従来の発明において、依然として残されている以下の課題についても解決できるシステムを提供する。
【００１８】
即ち、本発明では、ボタン操作を不要にできるシステムを提供することに加えて、ボタン操作に限らず、非接触キー、テンキー操作などのいかなる操作も不要にすること、エレベーターの移動方向を限定せず、いずれの方向に移動する場合であっても、登録操作を省略可能とすること、
各乗客ごとに、使用頻度の高い階床を行先階として自動登録可能とすること、
出入口階およびタグに記憶させた行先階以外の階から乗込んだ場合に自動登録される行先階を予め登録した行先階の中から選択可能とすること、
ＩＣタグを携帯した乗客が、居住または通勤しない建物を訪問し、本装置が設置されているエレベーターを利用した場合でも、行先階が誤登録されないようにすること、
エレベーターを利用しない人が乗り場の検知エリアに偶然入った場合でも、かご呼びのみならず行先階までもが誤登録されて空のかごが行先階まで走行することがないようにすること、
乗客が携帯するタグが電池などの電力を必要としないようにすること、
をも実現できるシステムを提供する。
【課題を解決するための手段】
【００１９】
これらの課題を解決するために、請求項１に記載の発明においては、エレベータのホールおよびかごにアンテナ制御装置と接続したアンテナを取付け、乗客に携帯され、該乗客の利用階床を行先登録階として記憶し、アンテナに情報を送信するタグを備えた。
【００２０】
そして、乗り場に乗客が到着し、上記タグが上記乗り場に設置したアンテナの検知エリアに入ると、アンテナ制御装置は、上記乗り場に設置したアンテナを介してタグに記憶した行先登録階を受信して、エレベーター制御装置に送信し、上記エレベーター制御装置は、受信した行先登録階と上記タグが位置する階とから乗客の行先階を判別し、判別した行先階に相当する方向のかご呼び釦を点灯させ、かご呼びを登録するようにした。
【００２１】
次に、上記かご呼びにより到着したかご内に乗客が乗り込むことにより、上記タグが上記かご内に設置したアンテナの検知エリアに入ると、上記アンテナ制御装置は、上記タグに記憶した行先登録階を、上記かご内に設置したアンテナを介して受信して、上記エレベーター制御装置に送信し、上記エレベーター制御装置は、受信した行先登録階と上記かごが到着した階とから乗客の行先階を判別し、上記判別した行先階に相当する行先階登録釦を点灯し、行先階として登録するようにした。
【００２２】
請求項２に記載の発明においては、上記タグに記憶する行先登録階に優先順位を設け、上記タグが乗り場に設置したアンテナの検知エリアに入った場合には、優先度の高い行先登録階から順にタグの位置する階と比較を行い、上記タグがかご内に設置したアンテナの検知エリアに入った場合には、優先度の高い行先登録階から順にかごが到着した階と比較を行い、初めに相違した行先登録階を乗客の行先階として判定するようにした。
【００２３】
また、請求項３に記載の発明においては、上記タグは、行先登録階に加えて、エレベーター装置のＩＤ番号を記憶するようにし、アンテナ制御装置は、上記タグに記憶したＩＤ番号が、エレベーター装置のＩＤ番号と一致した場合に、行先登録階をエレベーター制御装置に送信するようにした。
【００２４】
また、請求項４に記載の発明においては、上記エレベーター装置のＩＤ番号は、建物ごと、または複数台のエレベーター群ごとに固有の値であるようにした。
【００２５】
また、請求項５に記載の発明においては、上記乗り場のアンテナがタグを検知し始めてから一定時間経過後にかご呼び登録及びかご呼び釦点灯を行うようにした。
【００２６】
また、請求項６に記載の発明においては、上記タグには、その機能をオフにすることができるスイッチを設けることができるようにした。
【００２７】
また、請求項７に記載の発明においては、上記乗客に携帯されるタグは、無線ＩＣタグであって、アンテナから電力供給を受けてアンテナに情報を送信するものを使用し、電池などの電力を不要とできるようにした。
【発明の効果】
【００２８】
請求項１に記載の発明において、乗客が携帯するタグに予めその行先階を登録し、アンテナを介してかご呼び及び行先階を受信し登録することにより、乗客はボタン操作を行わずにエレベーターを利用することができるようにした。
【００２９】
上記構成により、乗客は行先階に移動するためにボタン操作のみならず、非接触キー操作やテンキー操作などいかなる操作も不要にできるようにした。また、乗客は移動方向を限定せず、いずれの方向に向かう場合でも、ボタン操作を行わずにエレベーターを利用することができるようにした。
【００３０】
また、自動登録する行先階を全てタグに記憶させる構成により、乗客ごとに使用頻度の高い階床を行先階として設定し、自動登録できるようにした。
【００３１】
また、アンテナを乗り場のみならずかご内にも設ける構成とし、乗り場アンテナにてタグを検知した場合にはかご呼びを登録し、かご内アンテナにてタグを検知した場合に行先階を登録するようにしたので、エレベーターを利用しない人のタグが偶然に乗り場アンテナの検知エリアに入ることがあっても、行先階までは登録されず、かご呼びが登録されるだけであるため、空のかごを行先階まで走行させることなく、エレベーターの運行効率をあげることができるようにした。
【００３２】
請求項２に記載の発明において、タグの行先登録階に優先順位を設け、優先順位の高い行先登録階から順に、タグが位置する階またはかごが出発した階と比較を行い、最初に相違した階を行先階として登録するようにした。上記のように行先登録階に優先順位を設けることにより、行先登録階以外の階から乗り込む場合の行先階を選択できるようにした。
【００３３】
請求項３に記載の発明において、タグのＩＤ番号が、エレベーター装置のＩＤ番号と一致した場合に行先登録階をエレベーター制御装置に送信するようにした。上記の構成によって、エレベーター装置は、タグの行先階情報の登録可否を識別できるようにし、タグを携帯した人が、居住または通勤しない建物を訪れ、本装置が設置されているエレベーターを利用した場合に誤登録されるのを防止できるようにした。
【００３４】
請求項４に記載の発明において、上記ＩＤ番号は、建物または複数のエレベーター群ごとに固有の値として、タグの行先階情報を登録するエレベーター装置を識別するようにした。
【００３５】
請求項５に記載の発明において、乗り場に設置したアンテナがタグを検知し始めてから一定時間経過後にかご呼び登録及びかご呼び釦点灯を行うことによって、タグを携帯した人がエレベーターを利用しない場合に偶然にアンテナの検知エリアを通り過ぎても、誤登録されるのを防止できるようにした。
【００３６】
請求項６に記載の発明において、タグの機能をオフするスイッチを設けたことにより、エレベーターを利用しない場合に偶然にアンテナの検知エリアに入っても誤登録されることを防止できるようにした。
【００３７】
請求項７に記載の発明において、タグを、無線ＩＣタグであって、アンテナから電力供給を受けてアンテナに情報を送信するものとしたことにより、タグの電池を不要とすることができるようにした。
【発明を実施するための最良の形態】
【００３８】
図面を参照しながら、この発明の実施の形態について説明する。図１はこの発明の実施の形態を示す構成図である。
【００３９】
図１において、１は、建物の各階に設けられるエレベーター乗り場、２は、乗客や荷物を運ぶエレベーターかごをあらわす。前記エレベーターかご２は通常、ロープ４を介して釣合い重り３と接続される。前記ロープ４は巻上機５に巻きかけられており、巻上機５はかごの運行を制御するエレベーター制御装置７によって駆動され、かごを昇降移動させる。
【００４０】
上記各乗り場にはかご呼び釦８が設置されている。該かご呼び釦８は、上方向かご呼び釦８Ａと、下方向かご呼び釦８Ｂとから構成される。乗客が移動したい方向のかご呼び釦８Ａ、８Ｂのいずれかを登録すると、エレベーター制御装置７は、登録された釦を点灯するとともに、かご２を乗り場に向かわせる。
【００４１】
また、かご２内には行先階登録釦１２が設置されている。行先階登録釦１２は、各停止階床に対応した釦で構成される。乗客が希望する行先階に対応する行先階登録釦１２を登録すると、エレベーター制御装置７は、登録された釦を点灯するとともに、かご２を行先階に運行させる。
【００４２】
上記各乗り場１およびかご２には、アンテナ９、１０が設置されている。１１は乗客が携帯するタグである。６はアンテナ制御装置であり、アンテナ９、１０を介してタグ１１と情報の送受信およびタグ１１への情報の書き込みを行うとともに、エレベーター制御装置７にタグ１１から受信した情報を送信する。
【００４３】
このタグ１１は無線ＩＣタグ（ＲＦＩＤ）と呼ばれるものである。無線ＩＣタグとは、物に取り付けて使用する荷札、つまりタグの一種であり、番号や価格といったタグに記録すべき属性情報をＩＣチップ製のタグに記憶させ、無線で読取ることができるようにしたものである。
【００４４】
本実施例におけるタグ１１には、エレベーター装置のＩＤ番号と、それを携帯する乗客の行先登録階を予め記憶させる。ＩＤ番号は、上記タグ１１の行先階情報を登録できるエレベーター装置を識別するものであって、数字または文字の組合せにより構成され、たとえば建物ごとや、エレベーター群ごとに固有のものとする。行先登録階としては、乗客の使用頻度の高い階床として、通常は２階床を登録する。例えば、居住階または勤務階などの利用階と、玄関階、地下駐車場階など常用する出入口が設置された階を記憶させる。乗客の行先登録階に変更が生じた場合は、アンテナ制御装置６を介してタグ１１の記憶内容を変更することができる。また、行先登録階には優先順位が設定される。これにより、行先登録階以外の階から乗込む場合は、優先順位の高い行先登録階を自動登録することができる。例えば利用階の優先順位を高くすれば、行先登録階以外の階から乗り込んだときには、利用階が行先階として自動登録される。
【００４５】
また、無線ＩＣタグはアクティブ・タグとパッシブ・タグに大別できる。アクティブ・タグは「電池付きタグ」とも呼ばれ、電池を内蔵したデータ送受信機のようなもので、アンテナから信号を受信して、その信号に応じた動作をする。パッシブ・タグはそれ自体電池を内蔵せず、アンテナからの電力供給を受けて内蔵するＩＣチップを動作させ、データの送受信を行うものである。アクティブ・タグはバッテリ駆動であるため長距離通信が可能である反面、パッシブ・タグと比較して価格が高く、電池の寿命も考慮する必要があるという特徴を有する。
【００４６】
本発明のタグには、価格が安く、電池を不要にできるパッシブ・タグを使用している。
したがって、上記タグ１１は、上記アンテナ９、１０の検知エリアに入ると、上記アンテナ９、１０を介してアンテナ制御装置６から送信された電磁波などの無線波を受信して電流を生成した上で、記憶したデータの送受信や、書換えを行う。
【００４７】
次に、タグ１１から行先登録階を受信した場合の動作について説明する。
アンテナ制御装置６は、まず、乗客が乗り場に到着したときに、乗り場に設置したアンテナ９を介してタグ１１に記憶した情報を受信し、受信したＩＤ番号をエレベーター装置のＩＤ番号と比較し、一致した場合、行先登録階をエレベーター制御装置７に送信する。エレベーター制御装置７は、受信した行先登録階のうち、優先度の高い階から順にタグ１１が位置する階と比較し、初めに相違した行先登録階を乗客の行先階として判別し、判別した行先階に相当する方向のかご呼び釦８を点灯させ、かご呼び登録を行う。
【００４８】
乗り場に設置したアンテナ９は、タグ１１を検出してから一定時間経過後にかご呼び登録と、かご呼び釦８を点灯させるようにしてもよい。この構成により、タグ１０を携帯した人が、エレベーターを利用しないときに偶然に乗り場アンテナ１０の検知範囲を通り過ぎた場合に、誤登録されるのを防止できる。
【００４９】
アンテナ制御装置６は、次に、乗客が上記かご呼びにより到着したかごに乗り込んだときに、かご内に設置したアンテナ１０を介してタグ１１に記憶した情報を受信する。上記と同様にしてＩＤ番号の認証を行った後、行先登録階をエレベーター制御装置７に送信する。エレベーター制御装置７は、受信した行先登録階のうち、優先度の高い階から順にかご２が到着した階と比較し、初めに相違した行先登録階を乗客の行先階として判別し、判別した行先階に相当する行先階登録釦１２を点灯させ、行先階として登録する。
【００５０】
次に、集合玄関を１階に、駐車場を地下一階に備えた集合住宅の４階に居住する乗客が、本装置を備えたエレベーターを利用する場合を例として、本装置の実施形態について説明する。
【００５１】
まず、図２を用いて玄関階１階から居住階４階に移動する場合について説明する。乗客が携帯するタグ１１には、エレベーター装置のＩＤ番号と、行先登録階Ａとして４階を、行先登録階Ｂとして１階を記憶させておく。Ａ、Ｂは行先登録階の優先順位を表す記号で、アルファベットが若い方が優先順位が高いことを意味する。
【００５２】
乗客が１階乗り場１に到着すると、乗り場アンテナ9を介して、タグ１１の記憶情報がアンテナ制御装置６に送信される。アンテナ制御装置６は、受信したＩＤ番号と、エレベーター装置のＩＤ番号とを比較して、一致した場合、受信した行先登録階をエレベーター制御装置７に送信する。エレベーター制御装置７は、タグが位置する階である１階と、受信した行先登録階である１階、４階とを、優先度が高い行先登録階Ａ・４階から順に比較し、タグが位置する階と相違する行先登録階Ａ・４階を行先階として認識する。行先階である４階は乗客がいる１階よりも上の階であるため、上方向のかご呼び釦１０Ａを点灯させ、上方向のかご呼びを登録する。
【００５３】
次に乗客が到着したかご内に乗り込んだところで、タグ１１の記憶情報がかご内アンテナ１０を介してアンテナ制御装置６に送信される。アンテナ制御装置６は、上記と同様にＩＤ番号の認証を行った後、受信した行先登録階をエレベーター制御装置７に送信する。エレベーター制御装置７は、かごが到着した１階と、受信した行先登録階である１階、４階とを、上記と同様の方法で比較し、行先登録階Ａ・４階を行先階として認識する。エレベーター制御装置７は、４階の行先階登録釦１２を点灯させ、４階を行先階として登録する。
【００５４】
次に、図３を用いて居住階４階から玄関階１階に移動する場合について説明する。乗客が４階乗り場１に到着すると、上記と同様の方法でＩＤ番号の認証が行われ、行先登録階がエレベーター制御装置７に送信される。エレベーター制御装置７は、タグが位置する階である４階と、受信した行先登録階である１階、４階とを、優先度が高い行先登録階Ａ・４階から順に比較し、タグが位置する階と相違する行先登録階Ｂ・１階を行先階として認識する。行先階である１階は乗客がいる４階よりも下の階であるため、下方向のかご呼び釦１０Ａを点灯させ、下方向のかご呼びを登録する。
【００５５】
次に乗客が到着したかご内に乗り込んだところで、上記と同様の方法でＩＤ番号の認証が行われ、行先登録階がエレベーター制御装置７に送信される。エレベーター制御装置７は、上記と同様の方法で行先登録階Ｂ・１階を行先階として認識する。エレベーター制御装置７は、１階の行先階登録釦１２を点灯させ、１階を行先階として登録する。
【００５６】
次に、図４を用いて、駐車場がある地下１階からエレベーターに乗り込む場合について説明する。乗客が地下１階乗り場１に到着すると、上記と同様の方法で認証が行われ、行先登録階がエレベーター制御装置７に送信される。エレベーター制御装置７は、タグが位置する階である地下１階と、受信した行先登録階である４階、１階とを、優先度が高い行先登録階Ａ・４階から順に比較し、タグが位置する階と初めに相違した行先登録階Ａ・４階を行先階として認識する。行先階である４階は乗客がいる地下１階よりも上の階であるため、上方向のかご呼び釦１０Ａを点灯させ、上方向のかご呼びを登録する。
【００５７】
次に乗客が到着したかご内に乗り込んだところで、上記と同様の方法で認証が行われ、行先登録階がエレベーター制御装置７に送信される。エレベーター制御装置７は、上記と同様の方法により行先登録階Ａ・４階を行先階として認識する。エレベーター制御装置７は、４階の行先階登録釦１２を点灯させ、４階を行先階として登録する。
【００５８】
上記のように、行先登録階に優先順位を設けることにより、乗客が行先登録階以外の階から乗り込んだ場合に自動登録される行先階を設定できるようになる。上記例においては、優先順位の高い行先登録階として居住階を登録し、行先登録階以外の地下駐車場設置階から乗り込んだ場合には、居住階を行先階として自動登録することができるようにした。
【００５９】
また、上記のように、アンテナを、乗り場のみならずかご内にも設置し、乗り場アンテナ９にてタグ１１の記憶情報を受信した場合は、行先階は登録せずにかご呼びのみを登録し、乗客がかごに乗り込んで、かご内アンテナ１０にてタグ１１の記憶情報を受信した場合に行先階を登録する構成とした。この構成により、タグ１１を携帯した人が、エレベーターを利用しない場合に偶然乗り場アンテナ９の検知エリアに入ることがあっても、かご呼びが登録されるだけで、行先階までは登録されないため、空のかごが行先階まで走行することを防止できる。
【００６０】
乗客が携帯するタグ１０には、その機能をオフできるスイッチを設けてもよい。このような構成により、エレベーターを利用しないときに乗り場の検知エリアに入ることがあっても、かご呼び登録されず、誤動作を防ぐことができるようになっている。また、行先登録階以外の階を利用する場合に、行先登録階が登録されるのを防止できる。
【００６１】
また、タグ１０は、乗客が携帯する鍵やキーホルダーなどに設置できるようにしてもよい。このような構成により、乗客の荷物を減らすことができる。
【００６２】
また、タグが検知エリアに入ってから登録を行うまでに待機時間を設けることで、エレベーターを利用しない人が偶然に検知エリアを通過することがあっても、登録がされず、誤動作を防ぐことができるようにしてもよい。
【図面の簡単な説明】
【００６３】
【図１】本発明の装置を具備するエレベーター全体の構成図
【図２】本装置を利用して１階から４階に移動する場合の模式図
【図３】本装置を利用して４階から１階に移動する場合の模式図
【図４】本装置を利用して地下1階から乗込む場合の模式図
【符号の説明】
【００６４】
１    かごの各サービス階床の乗り場
２    かご
３    釣合い重り
４    ロープ
５    巻上機
６    アンテナ制御装置
７    エレベーター制御装置
８    かご呼び釦
８Ａ  上方向かご呼び釦
８Ｂ  下方向かご呼び釦
９    アンテナ（乗り場）
１０  アンテナ（かご）
１１  タグ
１２  行先階登録釦
【図１】
2005255320.tif 000003
【図２】
2005255320.tif 000004
【図３】
2005255320.tif 000005
【図４】
2005255320.tif 000006